(57)【要約】【課題】  記録媒体の容器を収容するのに特に適した箱状体を形成するためのシートを提供する。【解決手段】  記録媒体の容器を収容するのに特に適した箱状体を形成するためのシートは、平らに保持することが可能な筒状体を折り返すことによって形成するシート体１からなり、シート体１は二つの大面部２、４と、それらを連結する小上面部３と小下面部５と、前記各大面部２、４の自由端にそれぞれ設けられるインナーフラップ２０とアウターフラップ２１とを有し、本シートはさらに前記インナーフラップ上に粘着材３０の層を有し、該粘着材は取り外し可能な保護層３１によって保護され、さらに該保護層を機械装置を使用して取り外すための手段４０、４１を有する。【選択図】        図２
2004231297.tif 000002
【特許請求の範囲】
【請求項１】
記録媒体容器を収容するのに特に適した箱状体を形成するためのシートであって、
折り返すことにより、平らに保持することが可能な筒状体を形成するシート体を有し、該シート体は二つの大面部と、前記二つの大面部を連結する小上面部および小下面部と、前記二つの大面部のそれぞれの一自由端に設けられるインナーフラップおよびアウターフラップとを有し、前記二つのフラップを相互に重ねることによって箱状体を形成し、
前記インナーフラップ上に粘着材の層とそれを保護する取り外し可能な保護層とを設け、前記保護層を機械装置により取り外し可能とする手段をさらに設けたことを特徴とするシート。
【請求項２】
前記取り外し可能な保護層は、ポリエチレンコーティングされた表面を有する保護シートからなることを特徴とする、請求項１記載のシート。
【請求項３】
前記シート体はさらに、前記小上面部に連結する上部タブと、前記小下面部に連結する下部タブとを有し、前記箱状体を形成する際に前記上部タブおよび下部タブは前記インナーフラップおよびアウターフラップの下に折り返されることを特徴とする、前記請求項のいずれかに記載のシート。
【請求項４】
前記保護層を機械装置により取り外し可能とする手段は、前記粘着材の層を有する前記インナーフラップの一端に設けられる少なくとも一つの貫通孔と、前記少なくとも一つの貫通孔に挿入されて前記保護層のそで部を分離するパンチとを有することを特徴とする、前記請求項のいずれかに記載のシート。
【請求項５】
前記保護層を機械装置により取り外し可能とする手段は、前記下部タブに設けられる第一の貫通孔と、前記インナーフラップの端部に設けられる第二の貫通孔とを有し、前記箱状体が平らな状態にあるときに前記第一の貫通孔と前記第二の貫通孔とが重なって配置されることを特徴とする、前記請求項のいずれかに記載のシート。
【請求項６】
前記箱状体において、前記相互に重ねられたインナーフラップとアウターフラップとからなる面と対向する面は開口され、該開口に位置する前記二つの大面部の各自由端は、大前面部に連結されたフロントウィングと大背面部に連結されたリアウィングとをそれぞれ折り返すことによって形成することを特徴とする、前記請求項のいずれかに記載のシート。
【請求項７】
前記アウターフラップに沿って設けられる追加フラップをさらに有し、該追加フラップを前記アウターフラップに対して折り返すことにより前記アウターフラップの自由長手端に折り目を形成することを特徴とする、前記請求項のいずれかに記載のシート。
【発明の詳細な説明】
【技術分野】
【０００１】
本発明は、特に記録媒体容器を収容するのに適した、箱状体を形成するためのシートの製造に関する。
【背景技術】
【０００２】
周知のとおり、従来からＤＶＤやＣＤや磁気テープといった記録媒体は、まず容器に収容され、その容器はさらに箱状体によって形成されるジャケットに挿入される。この箱状体は、厚紙などの紙状材料から形成されることが多く、ほぼ平行六面体形状であって一つの開口面を有し、この開口面から記録媒体容器を本のように挿入可能である。
【０００３】
ＤＶＤのような高級製品の場合、この箱状体はレリーフ等のプリントを有する厚紙からなるのが望ましく、その端部は折りしわやダイカット端を露出していないことが好ましい。
【０００４】
そのため、シート状の材料を折って端部を接着することにより平らに折りたたむことが可能な筒状体を形成し、そこに二つの大面部およびそれらを連結する小上面部と小下面部とを設ける。小面部のうちの一つは開放されており、対向する面には箱状に開閉可能に閉じられるフラップが形成される。
【０００５】
上述したような箱状体は広く使用されているものの、以下のような欠点を有する。箱状体の背の部分が適切に閉じられていないため、非固定の閉じフラップが挿入される部分に隣接する大面部がどうしても膨らんだり広がったりしてしまうのである。
【０００６】
この問題を解決するためには、背部分の小面部を糊付けしなければならないが、この糊付け作業を容易になしうるのはジャケットとなる箱状体を製造する紙製品製造業者のみである。しかしながら、糊付けを行ってしまうと、箱状体をすでに組み立てた形で輸送しなければならず、中身が空である箱状体は扱いづらいうえ嵩が増し、一度に輸送できる数が限られてしまうという欠点を有する。
【０００７】
この欠点を回避する箱状体からなるジャケットが考案されている。背部分を構成する閉じフラップの一方に粘着性の糊とそれを保護する取り外し可能な保護層を設けることにより、ジャケットを平らな状態で輸送し、出版業者が製造したＤＶＤなどの記録媒体を入れた容器をジャケットに挿入する業者側で箱状ジャケットを組み立てることを可能としたものである。
【０００８】
しかしながらこの方法によると、ジャケットを手作業で組み立てる必要があり、関連するコストが比較的高くなってしまうため、大量のジャケットを製造するのには明らかに適していない。
【発明の開示】
【発明が解決しようとする課題】
【０００９】
本発明の目的は、上述した従来の問題点を解決することにある。本発明に係る、特に記録媒体を収容するのに適した箱状体を形成するためのシートは、糊を塗布する工程を必要とせずに箱状体を機械的に作成することを可能とする。本発明のシートは粘着材の層をすでに有するため、紙製品製造業者でなくともジャケットの最終組立工程を実行することができる。
この目的のために、本発明のシートは箱状体（ジャケット）を平らな状態で輸送し、機械を使用してジャケットの製造および組み立て工程を実行することを可能とした。
【００１０】
本発明のさらなる目的は、シンプルでかつ効果的な手段をシートに設けることにより、機械装置を使用して組立工程を自動化することを可能とすることにある。
本発明の別の目的は、特別な構造的特長を有するシートを提供することにより、信頼性があり安全に使用できる箱状体を形成可能とすることにある。
本発明のさらなる目的は、容易に市場で手に入る部品や素材を使用することにより、価格的にも競争力を有するシートを製造可能とすることにある。
【課題を解決するための手段】
【００１１】
上記課題を解決するために、本発明は、記録媒体容器を収容するのに特に適した箱状体を形成するためのシートであって、折り返すことにより、平らに保持することが可能な筒状体を形成するシート体を有し、該シート体は二つの大面部と、前記二つの大面部を連結する小上面部および小下面部と、前記二つの大面部のそれぞれの一自由端に設けられるインナーフラップおよびアウターフラップとを有し、前記二つのフラップを相互に重ねることによって箱状体を形成し、前記インナーフラップ上に粘着材の層とそれを保護する取り外し可能な保護層とを設け、前記保護層を機械装置により取り外し可能とする手段をさらに設けたことを特徴とするシートを提供する。
【発明を実施するための最良の形態】
【００１２】
添付の図面を参照しながら、本発明の実施例を説明する。本発明に係る、特に記録媒体容器を収容するのに適した箱状体を形成するためのシートは、全体を符号１で示すシート体を有し、このシート体は好ましくは紙状の材料からなり、その外側面にはたとえばレリーフ状のプリントが施される。
前記シート体１は大前面部２と、そこに小上面部３を介して連結される大背面部４と、そこに連結される小下面部５の第一フラップと、該第一フラップがその上から糊付けされる小下面部の第二フラップ６とを有し、第二フラップ６は大前面部２の自由端に連結される。
【００１３】
ダイカット端の露出のない、最良の箱状体を仕上げるために、大前面部２にはフロントウィング１０が折り目を介して連結され、ウィングは図１の点線にて図示されるとおり、大前面部２に対して折り返すことができる。同様に、大背面部４にはリアウィング１１が連結され、小上面部の端には上部ウィング１２が連結される。さらに、三角形の下部ウィング１３が設けられ、第二フラップ６によって形成されるベベル面に挿入される。
仕上げ用の各ウィング１０、１１、１２および１３が折り返されて小下面部の第一フラップと第二フラップとが相互に糊付けされることにより、平らに保持することのできる筒状体が形成され、この筒状体から箱状体が形成される。
【００１４】
インナーフラップ２０とアウターフラップ２１が、２つの大面部の自由端、つまりウィング１０または１１に隣接しない端部、に設けられる。インナーフラップ２０は大前面部２に連結され、アウターフラップ２１は大背面部４に連結される。
さらに、小上面部３に連結する上部タブ２２と、小下面部５の第一フラップに連結する下部タブ２３を有する。
【００１５】
インナーフラップ２０の外側面には粘着材の層３０が形成され、この層は取り外し可能な保護層３１によって保護される。保護層３１はたとえば、粘着材層から容易にはがすことが可能なように、ポリエチレンにより表面がコーティングされたシートなどからなる。
【００１６】
この保護層を機械装置によって自動的に取り除くための手段を有するのが本発明の特徴である。
本実施例において、保護層を取り外すための手段は、下部タブ２３に形成される第一貫通孔４０と、粘着材層が設けられたインナーフラップ２０の一端に形成される第二貫通孔４１とからなる。
貫通孔４０および貫通孔４１は箱状体が平らな状態のときに重なるように設置される。たとえば、第一貫通孔は成形加工された凹部または穴を使用して形成され、箱状体が平らな状態のときは、同様に形成された第二貫通孔と平行に位置する。
【００１７】
粘着材の保護層を機械的に取り外すため、直線状に重なって並んだ貫通孔４０と４１にはパンチ５０が挿入されて、保護層３１の除去に使用する部品によって容易に挟持可能な保護層３１の一端またはそで部を分離し、粘着材層から機械的に取り去る。保護層を取り除かれたインナーフラップ２０は図４に示す状態に折り返され、その上にさらにアウターフラップ２１が折り返されて、箱状体を形成する。
【００１８】
上述のとおり、面同士を接着することにより箱状体を形成するにあたり、現在は紙製品製造業界でのみ特別な機会を使用して自動的に組み立てられ、他の業界では手作業で行われていたものを、本発明によって、接着作業を行うための機械を所有しない非紙製品業界の工場等においても自動的に機械を使用して小面部同士を接着することにより箱状体を形成することが可能となった。
【００１９】
本発明の特徴は、容易に形成できる手段を使用して、粘着材保護層を機械的に保持して取り外すことを可能とし、それにより箱状体を形成する時間を短縮することを可能としたことにある。本発明の保護層除去用の手段は、２つの孔４０、４１を、筒状体が平らに配置されたときに除去用手段を自動的に挿入可能なように、相互に一直線に重なって並ぶ位置に設けることにより、形成される。
【００２０】
以上、本発明を実施形態に基づいて説明してきたが、本発明は請求項に記載された範囲内での様々な変更や改良が可能である。
すべての詳細な説明における部品等は他の均等な部品に置き換えることができる。たとえば、ダイカットされたり折り目付けされたりした端部の露出を最小限にするために、前述のアウターフラップ２１に沿ってさらに追加のフラップ２１ａを形成し、それをアウターフラップ２１に対して折り込み可能とすることにより、カット端を露出することなく折り目線のみを露出する箱状体を形成することができる。
本シートを実際に製造するにあたっては、材料、サイズ、形状ともに、実際の使用に適したものを適宜選択可能である。
【図面の簡単な説明】
【００２１】
【図１】仕上げウィングの折り返し位置を点線で示した、本発明にかかる箱状体を形成するためのシート体の概略図。
【図２】本発明のシート体を折ることにより形成した筒状体を平らな状態にし、取り外し可能な保護層を取り外すための手段を配置した状態を示す図。
【図３】保護層を取り外した状態の箱状体を示す図。
【図４】粘着層を有するインナーフラップを折り返す工程を示す図。
【図５】アウターフラップを折り返して糊付けする最終工程を示す図。
【図６】箱状体とＤＶＤ等の記録媒体を収容する容器とを示す概略分解図。
【図７】アウターフラップの端部をカバーする形状を有するシート体の概略図。
【図８】図７のシート体のアウターフラップをインナーフラップに重ねる前の状態を示す図。
【符号の説明】
【００２２】
１  シート体
２  大前面部
３  小上面部
４  大背面部
５  小下面部
６  第二フラップ
１０  フロントウィング
１１  リアウィング
１２  上部ウィング
１３  三角形の下部ウィング
２０  インナーフラップ
２１  アウターフラップ
２２  上部タブ
２３  下部タブ
３０  粘着材
３１  保護層
４０  第一貫通孔
４１  第二貫通孔
５０  パンチ
【図１】
2004231297.tif 000003
【図２】
2004231297.tif 000004
【図３】
2004231297.tif 000005
【図４】
2004231297.tif 000006
【図５】
2004231297.tif 000007
【図６】
2004231297.tif 000008
【図７】
2004231297.tif 000009
【図８】
2004231297.tif 000010